(57)【要約】【課題】咬合圧を繰り返し受けてもインプラント体とアバットメント体の締結の緩みが発生しづらいインプラントを提供する。【解決手段】インプラント５は、嵌合穴部１４が形成されたインプラント体１０と、嵌合穴部１４に嵌合する嵌合軸部２２が形成されたアバットメント２０と、アバットメント２０の貫通孔に挿通されると共に、インプラント体１０の中心穴の連れ回り規制穴部に係合する連れ回り規制軸部３３を有するクランパピン３０と、クランパピン３０のくびれ部に係合するスナップフィット係合部を有するロックブッシュ５０と、クランパピン３０の抜け止め軸部３２とインプラント体１０の抜け止め穴部１５Ａに係合してクランパピン３０の移動を規制するクランパ４０と、を備える。【選択図】図４
2013244216.tif 000002
【特許請求の範囲】
【請求項１】
中心穴の一部に内径が奥行き方向にかけて縮小するテーパー形の嵌合穴部を有するインプラント体と、
前記嵌合穴部に嵌合するテーパー形の嵌合軸部を有するアバットメントと、
前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、
前記アバットメントの前記貫通孔に形成された段差部に当接する当接面及び前記クランパピンの一部に形成された被係合部に係合するスナップフィット係合部を有するロックブッシュと、
前記クランパピンと前記インプラント体の前記中心穴の間に介在し、前記クランパピンと前記アバットメントが相対移動して前記被係合部に前記スナップフィット係合部が係合するのに伴って、前記クランパピンの抜け止め軸部と前記インプラント体の抜け止め穴部に係合して、前記クランパピンと前記インプラント体の相対移動を規制するクランパと、
を備えることを特徴とするインプラント。
【請求項２】
前記クランパピンは、前記貫通孔の内部に露出する外ネジを有し、
前記外ネジに前記貫通孔の開口側への力を作用させると、前記アバットメントに対して移動して前記被係合部に前記スナップフィット係合部が係合することを特徴とする請求項１に記載のインプラント。
【請求項３】
前記ロックブッシュは、前記貫通孔の内部に露出する内ネジを有し、
前記内ネジに前記貫通孔の開口側への力を作用させると、前記アバットメントに対して移動して前記被係合部と前記スナップフィット係合部の係合が解除することを特徴とする請求項１又は２に記載のインプラント。
【請求項４】
前記嵌合穴部及び前記嵌合軸部により耐圧機構が形成され、
前記インプラント体に対する前記アバットメントの回転を防止する回転防止機構と前記耐圧機構が一体的に形成されることを特徴とする請求項１から３のうちいずれか一項に記載のインプラント。
【請求項５】
前記耐圧機構の長さは、前記インプラント体の全長の１／２以上の長さに形成されることを特徴とする請求項４に記載のインプラント。
【請求項６】
前記回転防止機構は、
前記嵌合穴部の内周面に前記奥行き方向に沿って形成された複数の突出部と、
前記嵌合軸部の外周面に軸方向に沿って形成されて前記複数の突出部がそれぞれ差し込まれる複数の溝部と、
から形成されることを特徴とする請求項４又は５に記載のインプラント。
【請求項７】
前記複数の突出部の前記奥行き方向に直交する断面形状及び前記複数の溝部の前記軸方向に直交する断面形状は、それぞれ円弧形に形成されることを特徴とする請求項６に記載のインプラント。
【請求項８】
前記インプラント体及び前記アバットメントが、セラミックスで形成されることを特徴とする請求項１から７のうちいずれか一項に記載のインプラント。
【請求項９】
前記インプラント体及び前記アバットメントが、ジルコニアで形成されることを特徴とする請求項８に記載のインプラント。
【請求項１０】
前記クランパピン、前記クランパ及び前記ロックブッシュが、チタンまたはチタン合金で形成されることを特徴とする請求項１から９のうちいずれか一項に記載のインプラント。
【請求項１１】
インプラント体の中心穴に嵌合するアバットメント体において、
テーパー軸部を有するアバットメントと、
前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、
前記アバットメントの前記貫通孔に形成された段差部に当接する当接面及び前記クランパピンの一部に形成された被係合部に係合するスナップフィット係合部を有するロックブッシュと、
前記クランパピンと前記インプラント体の前記中心穴の間に介在し、前記クランパピンと前記アバットメントが相対移動して前記被係合部に前記スナップフィット係合部が係合するのに伴って、前記クランパピンの抜け止め軸部と前記インプラント体の抜け止め穴部に係合して、前記クランパピンと前記インプラント体の相対移動を規制するクランパと、
を備えることを特徴とするアバットメント体。
【請求項１２】
外径が軸方向にかけて縮小すると共に、外周面に前記軸に沿う複数の溝部が形成されたテーパー軸部を有することを特徴とする請求項１１に記載のアバットメント体。
【発明の詳細な説明】
【技術分野】
【０００１】
本発明はインプラント及びアバットメント体に関する。例えば永久歯の歯根欠損等の際に顎の骨に埋め込まれる歯科用インプラント及びアバットメント体に関する。
【背景技術】
【０００２】
体内に埋め込まれるインプラントとして、特に歯科用インプラントが注目されている。
歯科用インプラントは、一般に、虫歯や破損により永久歯の歯根が失われた場合、歯槽骨に設けた穴にインプラント体を挿入して固定するものである。従来、歯科用インプラントは、歯槽骨に固定されるインプラント体と、インプラント体に螺着され人工歯冠を装着可能なアバットメント体と、で構成される。
【０００３】
特許文献１に記載されるように、インプラント体は、その上端面に開口する穴部を有する。この穴部には、六角形穴部とテーパー穴部が形成される。
また、インプラント体には、上記六角形穴部に挿入される六角形軸部と、上記テーパー穴部に接触するテーパー軸部が形成される。
【０００４】
六角形穴部及び六角形部は、回転防止機構として機能する。回転防止部は、咬合圧に対して垂直方向周りの回転を防止する。回転防止部は、インプラント体に対するアバットメントの回転を防止する。
テーパー穴部及びテーパー軸部は、咬合圧を受ける耐圧機構として機能する。耐圧機構は、回転防止部（六角形穴部及び六角形部）に隣接して形成される。
【０００５】
インプラント体の穴部にアバットメント体を差し込むことで、テーパー穴部にテーパー軸部が楔状に食い込む。
【先行技術文献】
【特許文献】
【０００６】
【特許文献１】特開２００４−１１３７１８号公報
【発明の概要】
【発明が解決しようとする課題】
【０００７】
上記従来の技術には、以下の課題が残されている。
特許文献１に記載の技術では、咬合圧を繰り返し受けると、インプラント体とアバットメント体の締結に緩みが発生するという問題がある。
【０００８】
特許文献１に記載の技術では、耐圧機構（テーパー穴部、テーパー軸部）に咬合圧が集中するため、インプラント体のテーパー穴部の近傍等に亀裂が発生しやすい。最悪の場合には、インプラント体が割れてしまうという問題がある。
また、回転防止機構は、繰り返し咬合圧を受けると、六角形形状の頂点部分が磨耗して、徐々にガタが発生するという問題がある。
【０００９】
また、従来のアバットメントの材料には純チタンが多く採用されているが、黒色のチタン色が人工骨表面に映ってしまうという問題がある。また、術後に歯茎が下がった場合、アバットメントが露出してチタン色が目立ってしまい、審美性に劣るという不都合もある。
このため、審美性に優れた白色のセラミックスを用いてアバットメントを形成することが検討されている。しかし、アバットメント自体にネジを形成する従来の固定構造を採用すると、非常に高硬度なジルコニア等のセラミックスでネジ締結を行うとネジが破損してしまうおそれがある。
【００１０】
本発明は、咬合圧を繰り返し受けてもインプラント体とアバットメント体の締結に緩みが発生しづらいインプラント及びアバットメント体を提供することを目的とする。
また、本発明は、高い咬合圧を受けても亀裂等が発生しづらい構造を備えつつ、インプラント体に対するアバットメントの回転を長期間に亘って安定して防止することができるインプラント及びアバットメント体を提供することを目的とする。
【課題を解決するための手段】
【００１１】
本発明は、上記課題を解決するために、以下の手段を採用した。
本発明に係るインプラントは、中心穴の一部に内径が奥行き方向にかけて縮小するテーパー形の嵌合穴部を有するインプラント体と、前記嵌合穴部に嵌合するテーパー形の嵌合軸部を有するアバットメントと、前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、前記アバットメントの前記貫通孔に形成された段差部に当接する当接面及び前記クランパピンの一部に形成された被係合部に係合するスナップフィット係合部を有するロックブッシュと、前記クランパピンと前記インプラント体の前記中心穴の間に介在し、前記クランパピンと前記アバットメントが相対移動して前記被係合部に前記スナップフィット係合部が係合するのに伴って、前記クランパピンの抜け止め軸部と前記インプラント体の抜け止め穴部に係合して、前記クランパピンと前記インプラント体の相対移動を規制するクランパと、を備えることを特徴とする。
【００１２】
前記クランパピンは、前記貫通孔の内部に露出する外ネジを有し、前記外ネジに前記貫通孔の開口側への力を作用させると、前記アバットメントに対して移動して前記被係合部に前記スナップフィット係合部が係合することを特徴とする。
【００１３】
前記ロックブッシュは、前記貫通孔の内部に露出する内ネジを有し、前記内ネジに前記貫通孔の開口側への力を作用させると、前記アバットメントに対して移動して前記被係合部と前記スナップフィット係合部の係合が解除することを特徴とする。
【００１４】
前記嵌合穴部及び前記嵌合軸部により耐圧機構が形成され、前記インプラント体に対する前記アバットメントの回転を防止する回転防止機構と前記耐圧機構が一体的に形成されることを特徴とする。
【００１５】
前記耐圧機構の長さは、前記インプラント体の全長の１／２以上の長さに形成されることを特徴とする。
【００１６】
前記回転防止機構は、前記嵌合穴部の内周面に前記奥行き方向に沿って形成された複数の突出部と、前記嵌合軸部の外周面に軸方向に沿って形成されて前記複数の突出部がそれぞれ差し込まれる複数の溝部と、からなることを特徴とする。
【００１７】
前記複数の突出部の前記奥行き方向に直交する断面形状及び前記複数の溝部の前記軸方向に直交する断面形状は、それぞれ円弧形に形成されることを特徴とする。
【００１８】
前記インプラント体及び前記アバットメントが、セラミックスで形成されることを特徴とする。
【００１９】
前記インプラント体及び前記アバットメントが、ジルコニアで形成されることを特徴とする。
【００２０】
前記クランパピン、前記クランパ及び前記ロックブッシュが、チタンまたはチタン合金で形成されることを特徴とする。
【００２１】
本発明に係るアバットメント体は、インプラント体の中心穴に嵌合するアバットメント体において、テーパー軸部を有するアバットメントと、前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、前記アバットメントの前記貫通孔に形成された段差部に当接する当接面及び前記クランパピンの一部に形成された被係合部に係合するスナップフィット係合部を有するロックブッシュと、前記クランパピンと前記インプラント体の前記中心穴の間に介在し、前記クランパピンと前記アバットメントが相対移動して前記被係合部に前記スナップフィット係合部が係合するのに伴って、前記クランパピンの抜け止め軸部と前記インプラント体の抜け止め穴部に係合して、前記クランパピンと前記インプラント体の相対移動を規制するクランパと、を備えることを特徴とする。
【００２２】
外径が軸方向にかけて縮小すると共に、外周面に前記軸に沿う複数の溝部が形成されたテーパー軸部を有することを特徴とする。
【発明の効果】
【００２３】
本発明によれば、咬合圧を繰り返し受けてもインプラント体とアバットメント体の締結に緩みが発生しづらいインプラント及びアバットメント体を実現できる。
また、本発明によれば、高い咬合圧を受けても亀裂等が発生しづらい構造を備えつつ、インプラント体に対するアバットメントの回転を長期間に亘って安定して防止することができるインプラント及びアバットメント体を実現できる。
【図面の簡単な説明】
【００２４】
【図１】インプラントの歯科分野における使用例の説明図である。
【図２】第一実施形態に係るインプラントの分解斜視図である。
【図３】インプラントの側面図である。
【図４】インプラントの縦断面図である。
【図５】インプラントの横断面図である。
【図６】インプラント体を示す図である。
【図７】アバットメント体を示す図である。
【図８】アバットメントを示す図である。
【図９】クランパピンを示す図である。
【図１０】クランパを示す図である。
【図１１】ロックブッシュを示す図である。
【図１２】外側ブッシュを示す図である。
【図１３】内側ブッシュを示す図である。
【図１４】スナップフィット作動工具を示す図である。
【図１５】スナップフィット結合機構の作動前と作動後を示す図である。
【図１６】スナップフィット解除工具を示す図である。
【図１７】第二実施形態に係るインプラントの分解斜視図である。
【図１８】アバットメント体を示す図である。
【図１９】ロックブッシュを示す図である。
【図２０】外側ブッシュを示す図である。
【図２１】内側ブッシュを示す図である。
【図２２】リング部材を示す図である。
【図２３】スナップフィット結合機構の作動前と作動後を示す図である。
【発明を実施するための形態】
【００２５】
〔第一実施形態〕
以下、本発明の第一実施形態につき図面を参照して説明する。なお、下記説明において示す各種寸法等は一例である。
【００２６】
図１は、インプラント５の歯科分野における使用例の説明図である。
インプラント５は、歯槽骨２に固定されるインプラント体１０と、インプラント体１０に対して着脱可能なアバットメント体８と、を備えている。アバットメント体８には、人工歯冠６が装着される。
【００２７】
インプラント体１０の外周面には、雄ネジ１２が形成される。雄ネジ１２を歯槽骨２に形成した穴に螺合することで、インプラント体１０が歯槽骨２に固定される。
アバットメント体８の外周面には接着剤等を用いて人工歯冠６が装着される。インプラント体１０とアバットメント体８との当接部Ｓは、歯茎４または歯槽骨２によって覆われることになる。
当接部Ｓの当接面は精度良く仕上げられて、当接面が相互に密着して異物の侵入を防止する。
【００２８】
図２は、本実施形態のインプラント５の分解斜視図である。
図３は、インプラント５の側面図である。
図４は、インプラント５の縦断面図である（図３のＦ４−Ｆ４断面）。
図５は、インプラント５の横断面図である。（ａ）は図３のＦ５ａ−Ｆ５ａ断面、（ｂ）は図３のＦ５ｂ−Ｆ５ｂ断面、（ｃ）は図３のＦ５ｃ−Ｆ５ｃ断面、（ｄ）は図３のＦ５ｄ−Ｆ５ｄ断面である。
図６は、アバットメント体８を示す図である。
【００２９】
上述したように、インプラント５は、インプラント体１０とアバットメント体８を備える。
アバットメント体８は、アバットメント２０、クランパピン３０、クランパ４０及びロックブッシュ５０を組み立てたものである。
アバットメント２０は、人工歯冠６が装着される軸形部材である。クランパピン３０は、アバットメント２０の貫通孔２４に挿通すると共に、インプラント体１０に係合する軸形部材である。クランパ４０は、クランパピン３０に嵌め合わされるリング形部材である。ロックブッシュ５０は、アバットメント２０の貫通孔２４に挿入されると共に、クランパピン３０に螺合するリング形部材である。
【００３０】
以下の説明では、クランパピン３０の中心軸をＺ軸（Ｚ方向、軸方向）とする。インプラント体１０側を＋Ｚ側（＋Ｚ方向、奥行き方向）とする。アバットメント２０側を−Ｚ側（−Ｚ方向）とする。
【００３１】
図７は、インプラント体１０を示す図である。（ａ）は上面図、（ｂ）は側面及び縦断面を示す図（図７（ａ）のＦ７ｂ−Ｆｂ断面）、（ｃ）は下面図である。
インプラント体１０は、ジルコニア等のセラミックス材料で形成された円柱状（軸形）の部材である。インプラント体１０は、フィクスチャーとも呼ばれる。インプラント体１０の外周面には、雄ネジ１２が形成される。
【００３２】
インプラント体１０の−Ｚ側端面の中心には、中心穴１３が開口する。
中心穴１３は、テーパー穴部１４、逆テーパー穴部１５及び係合穴部１６が奥行き方向（＋Ｚ側）に向かって連続して形成されたものである。
テーパー穴部１４は、−Ｚ側端面から＋Ｚ側に向かって内径が徐々に縮小（縮径）する。逆テーパー穴部１５は、＋Ｚ側に向かって内径が徐々に拡大（拡径）する部位（逆テーパー部１５Ｂ）などを有する。係合穴部１６は、平行かつ対向する二つの内側面からなる平行二面１６Ａを有する。
【００３３】
テーパー穴部１４のテーパー角は、例えば４°である。テーパー穴部１４の長さ（深さ）は、インプラント体１０の全長（例えば１０ｍｍ）の１／３以上の長さ（例えば４〜５ｍｍ）に形成される。好ましくは、テーパー穴部１４の長さは、インプラント体１０の全長（例えば１２ｍｍ）の３／５程度の長さ（例えば８ｍｍ）に形成される。
テーパー穴部１４の内周側面には、Ｚ方向に沿う複数の突起１７（突出部）が形成される。複数の突起１７（突出部）は、中心穴１３の周方向において、等間隔（等角度）に配置される。本実施形態では、突起１７は５本である。
突起１７のＺ軸に直交する断面の形状は、蒲鉾形である。つまり、断面の形状は、頂部側が円弧形に膨らむ。
【００３４】
逆テーパー穴部１５は、−Ｚ側から＋Ｚ側に向かって、小径部１５Ａ、逆テーパー部１５Ｂ及び大径部１５Ｃが連続して形成されたものである。
小径部（抜け止め穴部）１５Ａの内径は、テーパー穴部１４の最小内径よりも小さい。
逆テーパー部１５Ｂは、＋Ｚ側に向かって内径が徐々に拡大（拡径）する。逆テーパー部１５Ｂのテーパー角は、例えば１０°である。逆テーパー穴部１５Ｂの長さ（深さ）は、例えば０．２５ｍｍである。
大径部１５Ｃの内径は、小径部１５Ａの内径よりも大きい。大径部１５Ｃの長さ（深さ）は、例えば１．０ｍｍである。
したがって、逆テーパー穴部１５の小径部１５Ａは、中心穴１３の内周側に突出する部位となる。
【００３５】
係合穴部１６は、対向する二つの円弧形内周側面と、平行かつ対向する二つの内側面（平行二面１６Ａ）とからなる。係合穴部１６の長さ（深さ）は、例えば０．７ｍｍである。二つの平行二面（連れ回り規制穴部）１６Ａの幅（二面幅）は、約０．８ｍｍである。
【００３６】
図８は、アバットメント２０を示す図である。（ａ）は側面図、（ｂ）は縦断面図（図８（ａ）のＦ８ｂ−Ｆ８ｂ断面）、（ｃ）は下面図である。
アバットメント２０は、本体部２１とテーパー軸部２２とからなる。
本体部２１は、人工歯冠６が装着される部位である。テーパー軸部２２は、本体部２１の一端側（＋Ｚ側）から延設してインプラント体１０の中心穴１３に内挿される部位である。
アバットメント２０は、審美性に優れた白色のセラミックス材料により一体的に形成される。セラミックス材料として、例えばジルコニアが採用される。
【００３７】
テーパー軸部２２のテーパー角は、例えば４°である。つまり、インプラント体１０の中心穴１３のテーパー穴部１４の角度と同一である。
テーパー軸部２２の長さは、テーパー穴部１４と同一又は長く形成される。テーパー軸部２２の長さは、例えば、８．１ｍｍである。
【００３８】
テーパー軸部２２の外周側面には、Ｚ方向に沿って、複数の溝部２３が形成される。複数の溝部２３は、テーパー軸部２２の周方向において、等間隔（等角度）に配置される。本実施形態では、溝部２３は５本である。つまり、テーパー穴部１４の内周側面に形成される突起１７と同数である。
また、溝部２３のＺ軸に直交する断面の形状は蒲鉾形である。断面の形状は、頂部側が円弧形に膨らむ。つまり、テーパー穴部１４の内周側面に形成される突起１７と同一形状である。
【００３９】
インプラント体１０の中心穴１３にアバットメント２０を挿入すると、アバットメント２０のテーパー軸部２２がインプラント体１０の中心穴１３のテーパー穴部１４に嵌合する。この際、テーパー軸部２２に形成された５本の突起１７は、テーパー穴部１４の５本の溝部２３に差し込まれて密着する。
【００４０】
アバットメント２０の中心には、Ｚ方向に貫通する貫通孔２４が形成される。
貫通孔２４のうち、本体部２１に対応する部位（本体部側貫通孔２４Ａ）は、内径が約２．５ｍｍに形成される。本体部側貫通孔２４Ａには、ロックブッシュ５０が挿入される。
また、貫通孔２４のうち、テーパー軸部２２に対応する部位（テーパー軸部側貫通孔２４Ｂ）は、内径が約１ｍｍに形成される。テーパー軸部側貫通孔２４Ｂには、クランパピン３０の本体部３１がほぼ隙間なく挿通される。
本体部側貫通孔２４Ａとテーパー軸部側貫通孔２４Ｂの境には、Ｚ方向に垂直な段差面２５が形成される。
【００４１】
図９は、クランパピン３０を示す図である。（ａ）は側面図、（ｂ）は下面図、（ｃ）は一部拡大図（図９（ａ）のＦ９ｃの拡大図）である。
クランパピン３０は、チタンまたはチタン合金により形成された細長い軸形部材である。クランパピン３０の本体部３１の直径は、約１ｍｍである。
クランパピン３０の一端側（＋Ｚ側）には、テーパー部３２及び係合軸部３３が設けられる。
【００４２】
テーパー部（抜け止め軸部）３２は、＋Ｚ側に向けて外径が徐々に拡大（拡径）する部位である。テーパー部３２の角度は、約４０°である。テーパー部３２は、インプラント体１０の中心穴１３に形成された逆テーパー穴部１５に収容される。
係合軸部３３は、円柱軸に平行かつ背向する二つ外側面（平行二面３３Ａ）を形成した部位である。平行二面（連れ回り規制軸部）３３Ａの幅（二面幅）は、約０．８ｍｍである。係合軸部３３は、中心穴１３の最深部に形成された係合穴部１６に嵌め込まれる。
【００４３】
クランパピン３０の他端側（−Ｚ側）には、Ｍ１サイズの右ネジである外ネジ３４が設けられる。外ネジ３４のネジ寸法などは、本体部３１の直径等に応じて、適宜変更可能である。
クランパピン３０の長さは、インプラント５を組み立てた際に、外ネジ３４がアバットメント２０の貫通孔２４の本体部側貫通孔２４Ａに露出する（位置する）ような長さである。
【００４４】
クランパピン３０の本体部３１と外ネジ３４の接続部分には、本体部３１及び外ネジ３４の直径（外径）よりも細いくびれ部３５が設けられる。
くびれ部（被係合部）３５は、＋Ｚ側から−Ｚ側に向けて直径が徐々に細くなり、外ネジ３４の手前（＋Ｚ側）で最も直径が細くなってから急激に外ネジ３４と同一の直径に戻る形状に形成される。したがって、外ネジ３４の手前には、くびれ部３５による段差３５Ａが形成される。
なお、くびれ部３５には、ロックブッシュ５０（爪部５４Ａ）が嵌まり込んで、いわゆるスナップフィット結合機構８０として機能する。
【００４５】
図１０は、クランパ４０を示す図である。（ａ）は側面図、（ｂ）は下面図、（ｃ）は縦断面図（図１０（ａ）のＦ１０ｃ−Ｆ１０ｃ断面）である。
クランパ４０は、チタンまたはチタン合金により形成されたリング形部材である。クランパ４０の外径は、インプラント体１０の中心穴１３の逆テーパー穴部１５の最小内径（小径部１５Ａの内径）より僅かに小径である。クランパ４０の外径は、例えば約１．４ｍｍである。
クランパ４０の内径は、約１ｍｍである。クランパ４０は、クランパピン３０に外嵌して用いられる。クランパ４０は、クランパピン３０のテーパー部３２に引っ掛かる位置に配置される。クランパ４０は、インプラント５を組み立てた際に、インプラント体１０の中心穴１３の逆テーパー穴部１５に収容される。
なお、クランパ４０の外径を逆テーパー穴部１５の最小内径より僅かに大径として、逆テーパー穴部１５にこじ入れてもよい。
【００４６】
クランパ４０は、一端側（＋Ｚ側）に、８本の櫛歯４１が形成される。櫛歯４１は、クランパ４０がクランパピン３０のテーパー部３２の乗り上がった際に、外周側に向けて弾性変形して広がる部位である。
クランパ４０の櫛歯４１は、いわゆるコレットチャックと同様な動作をする。クランパ４０の櫛歯４１が外周側に向けて広がると、クランパ４０の最大外径は、テーパー穴部１４の最小内径（小径部１５Ｂ）よりも大径になる。したがって、クランパ４０は、逆テーパー穴部１５の小径部１５Ｂに引っ掛かる（介在する）。このため、クランパ４０が外嵌されたクランパピン３０は、−Ｚ側への移動が規制される。
【００４７】
図１１は、ロックブッシュ５０を示す図である。（ａ）は上面図、（ｂ）は縦断面図（図１１（ａ）のＦ１１ｂ−Ｆ１１ｂ断面）、（ｃ）は側面図である。
図１２は、外側ブッシュ５１を示す図である。（ａ）は上面図、（ｂ）は縦断面図（図１２（ａ）のＦ１２ｂ−Ｆ１２ｂ断面）、（ｃ）は側面図である。
図１３は、内側ブッシュ５３を示す図である。（ａ）は上面図、（ｂ）は縦断面図（図１３（ａ）のＦ１３ｂ−Ｆ１３ｂ断面）、（ｃ）は側面図である。
【００４８】
ロックブッシュ５０は、リング形（円筒形）の部材である。ロックブッシュ５０は、リング形の外側ブッシュ５１の内周側に、リング形の内側ブッシュ５３を嵌め合わせたものである。
外側ブッシュ５１及び内側ブッシュ５３は、チタンまたはチタン合金により形成される。
【００４９】
外側ブッシュ５１は、一方の端部に円環形の底部５１Ｂが設けられた円筒形部材である。
外側ブッシュ５１の外径は、アバットメント２０の貫通孔２４の本体部側貫通孔２４Ａの内径よりもやや細く形成される。例えば、約２．４ｍｍに形成される。
底部５１Ｂには、中心穴５２が形成される。この中心穴５２には、クランパピン３０が挿通される。
【００５０】
内側ブッシュ５３は、外側ブッシュ５１よりも短い円筒形部材である。
内側ブッシュ５３の一端側（＋Ｚ側）には、４本の櫛歯５４が設けられる。櫛歯５４の先端には、内周側に突出する断面円弧形の爪部５４Ａが形成される。櫛歯５４は、外周側に弾性変形可能な部位である。櫛歯５４の弾性変形に伴って、爪部５４Ａは外周側に移動する。
内側ブッシュ５３の他端側（−Ｚ側）の内周面には、内ネジ５５が設けられる。
内側ブッシュ５３の内径は、内ネジ５５の領域では、クランパピン３０の直径（外径）よりも大きい。内側ブッシュ５３の内径は、櫛歯５４（爪部５４Ａ）の領域では、クランパピン３０の直径（外径）よりも小さい。
内側ブッシュ５３の外径は、外側ブッシュ５１の内径よりもやや大きく形成される。したがって、内側ブッシュ５３は、外側ブッシュ５１の内周側に対して圧入される（締まり嵌め）。
また、内側ブッシュ５３の長さは、外側ブッシュ５１の他端（−Ｚ側）から底部５１Ｂまでの長さ（深さ）よりもやや短い。したがって、外側ブッシュ５１の内周側に内側ブッシュ５３を嵌め合わせて、両者の他端（−Ｚ側）を一致させると、内側ブッシュ５３の櫛歯５４は、外側ブッシュ５１の底部５１Ｂに当接することなく、隙間を隔てて配置される。また、内側ブッシュ５３の櫛歯５４と、外側ブッシュ５１の内周面５１Ｔとの間には、隙間が設けられる。
【００５１】
ロックブッシュ５０は、アバットメント２０の貫通孔２４（本体部側貫通孔２４Ａ）に挿入される。ロックブッシュ５０は、＋Ｚ側の端面（底部５１Ｂ）がアバットメント２０の貫通孔２４の段差面２５に当接する位置に配置される。ロックブッシュ５０の外周面５０Ｓと本体部側貫通孔２４Ａの間には、殆ど隙間はない（隙間嵌め）。
ロックブッシュ５０（内側ブッシュ５３）の内周側には、本体部側貫通孔２４Ａに露出するクランパピン３０が挿通される。
【００５２】
ロックブッシュ５０（内側ブッシュ５３）に対して、クランパピン３０の外ネジ３４が＋Ｚ側から−Ｚ側に向けて挿入される。この際、クランパピン３０の外ネジ３４の外径は、内側ブッシュ５３の櫛歯５４（爪部５４Ａ）の領域の内径よりも大きいので、爪部５４Ａが外ネジ３４に乗り上げて、櫛歯５４が外周側に弾性変形する。さらにクランパピン３０が−Ｚ側に向けて挿入されると、爪部５４Ａがクランパピン３０のくびれ部３５に嵌まり込んで、櫛歯５４の弾性変形が開放される（復元する）。
これにより、爪部５４Ａがくびれ部３５の段差３５Ａに引っ掛かるため、クランパピン３０を反対方向（＋Ｚ側）に戻せなくなる。
【００５３】
このように、ロックブッシュ５０（内側ブッシュ５３）の櫛歯５４（爪部５４Ａ）とクランパピン３０のくびれ部３５（段差３５Ａ）は、いわゆるスナップフィット結合機構８０（snap-fit）として機能する。
スナップフィット結合機構８０とは、ボルト等の締結部材や接着剤等を用いることなく、金属材料（櫛歯５４）の弾性を利用して二つの部材（くびれ部３５、爪部５４Ａ）を嵌め込んで結合（固定）するものである。
スナップフィット結合機構８０は、爪部５４Ａが段差３５Ａに当接するので、クランパピン３０の＋Ｚ側への移動を規制する。爪部５４Ａが段差３５Ａに当接する（引っ掛かる）ため、櫛歯５４を再び弾性変形させて爪部５４Ａを外周側に移動させなければ、クランパピン３０を＋Ｚ側に移動させることはできない。
【００５４】
インプラント５の組み立ては、以下の手順に従って行われる（インプラント治療の二回法）。
まず、予めインプラント体１０を患者の歯槽骨２に埋入した後、歯茎４を縫い合わせる。個人差があるが、歯槽骨２とインプラント体１０を３〜６ヶ月程度かけて骨密着させる。
【００５５】
インプラント体１０とは別に、アバットメント２０側を組み立てる（図６参照）。アバットメント２０、クランパピン３０、クランパ４０及びロックブッシュ５０により、アバットメント体８を組み立てる。なお、アバットメント体８は、組み立てた形態で販売（譲渡）され、流通する。
【００５６】
まず、ロックブッシュ５０を組み立てる。ロックブッシュ５０は、外側ブッシュ５１の内周側に内側ブッシュ５３を圧入する。この際、外側ブッシュ５１と内側ブッシュ５３のそれぞれの他端（−Ｚ側）を一致させる。
【００５７】
次に、クランパ４０をクランパピン３０に外嵌する。そして、クランパピン３０をアバットメント２０の貫通孔２４の＋Ｚ側から挿入して、クランパピン３０の他端側（−Ｚ側）を本体部側貫通孔２４Ａに配置する（露出させる）。クランパピン３０に外嵌したクランパ４０がアバットメント２０のＺ側の端面に当接する位置まで、クランパピン３０を貫通孔２４（テーパー軸部側貫通孔２４Ｂ）に挿入する。
また、アバットメント２０の貫通孔２４にロックブッシュ５０を挿入する。ロックブッシュ５０の＋Ｚ側の端面（底部５１Ｂ）がアバットメント２０の貫通孔２４の段差面２５に当接するまで、ロックブッシュ５０を貫通孔２４（本体部側貫通孔２４Ａ）に挿入する。
【００５８】
これにより、ロックブッシュ５０の爪部５４Ａがクランパピン３０の外ネジ３４に乗り上げて、櫛歯５４が外周側に弾性変形する。爪部５４Ａは、クランパピン３０のくびれ部３５（段差３５Ａ）よりも−Ｚ側の位置に配置される（停止する）。つまり、この段階では、爪部５４Ａがくびれ部３５に嵌まり込まない位置で停止するので、スナップフィット結合機構８０は未作動状態である。
このように、スナップフィット結合機構８０が未作動状態のままで、アバットメント体８の組み立てが完了する。櫛歯５４の弾性力により爪部５４Ａがクランパピン３０の外ネジ３４を押圧するので、アバットメント体８が自然に分解することはない（仮固定状態）。
【００５９】
そして、患者の歯槽骨２に埋入したインプラント体１０の中心穴１３にアバットメント体８を挿入する。これにより、アバットメント２０のテーパー軸部２２は、インプラント体１０の中心穴１３のテーパー穴部１４に楔状に嵌め込まれる。
また、クランパピン３０の一端側（−Ｚ側）の係合軸部３３がインプラント体１０の中心穴１３の最底部（＋Ｚ側）の係合穴部１６に差し込まれる。つまり、クランパピン３０の係合軸部３３の平行二面３３Ａとインプラント体１０の係合穴部１６の平行二面１６Ａが密着（嵌合）する。
【００６０】
次に、スナップフィット作動工具２０１を用いて、インプラント体１０に対してアバットメント体８を強固に固定する。
図１４は、スナップフィット作動工具２０１を示す図である。（ａ）は側面図、（ｂ）はスナップフィット作動工具２０１の使用方法を示す図である。
図１５は、スナップフィット結合機構８０の作動前と作動後を示す図である。（ａ）はスナップフィット結合機構８０の作動前（解除後）を示す図、（ｂ）は作動後（解除前）を示す図である。
【００６１】
まず、図１４に示すように、スナップフィット作動工具２０１の軸部２０３をアバットメント２０の貫通孔２４（本体部側貫通孔２４Ａ）から挿入し、さらにロックブッシュ５０の内周側に挿入する。
そして、スナップフィット作動工具２０１のハンドル２０２を回転させて、軸部２０３の先端面に形成したタップ穴（内ネジ２０４）をクランパピン３０の外ネジ３４に螺合する。軸部２０３に設けた＋Ｚ側を向く段差面２０３Ａがロックブッシュ５０の−Ｚ側の端面に当接するまで、スナップフィット作動工具２０１の内ネジ２０４をクランパピン３０の外ネジ３４に対して螺合する。
【００６２】
ハンドル２０２をさらに回転させると、クランパピン３０がアバットメント２０及びロックブッシュ５０に対して−Ｚ側に移動し始める。スナップフィット作動工具２０１はロックブッシュ５０を介してアバットメント２０に当接して＋Ｚ側に移動できない一方で、スナップフィット作動工具２０１の内ネジ２０４に対してクランパピン３０の外ネジ３４がさらに深く螺合するためである。
この際、クランパピン３０の係合軸部３３がインプラント体１０の係合穴部１６に差し込まれて、係合軸部３３の平行二面３３Ａと係合穴部１６の平行二面１６Ａが密着（嵌合）している。このため、クランパピン３０の回転が規制されて、ロックブッシュ５０と共に連れ回ることがない。したがって、クランパピン３０は、−Ｚ方向に移動する。
【００６３】
そして、図１５に示すように、クランパピン３０が−Ｚ側に移動し始めると、クランパピン３０に外嵌したクランパ４０の内周側にクランパピン３０のテーパー部３２が差し込まれる（クランパ４０がテーパー部３２に乗り上がる）。これにより、クランパ４０の＋Ｚ側の８本の櫛歯４１が外周側に向けて弾性変形して広がる。したがって、クランパ４０がインプラント体１０の中心穴１３の小径部１５Ａに引っ掛かり、クランパ４０及びクランパピン３０の−Ｚ側への移動が規制される。
【００６４】
また、クランパピン３０が−Ｚ側に移動し始めると、ロックブッシュ５０（内側ブッシュ５３）の爪部５４Ａがクランパピン３０の段差３５Ａを越えてくびれ部３５に嵌まり込む。つまり、スナップフィット結合機構８０が作動する。スナップフィット結合機構８０が作動すると、爪部５４Ａが段差３５Ａに当接する（引っ掛かる）ので、クランパピン３０の＋Ｚ側への移動も規制される。
【００６５】
このように、スナップフィット作動工具２０１を用いて、クランパピン３０をアバットメント２０を−Ｚ方向に移動させる。これにより、クランパ４０が作用してクランパピン３０の−Ｚ側への移動が規制される。このため、アバットメント２０がインプラント体１０に向けて更に移動して、アバットメント２０のテーパー軸部２２がインプラント体１０の中心穴１３のテーパー穴部１４に更に楔状に食い込む。
また、スナップフィット結合機構８０が作動して、クランパピン３０の＋Ｚ側への移動も規制される。したがって、アバットメント体８がインプラント体１０に対して強固に固定される。
このようにして、インプラント５がガタツキなく強靭に組み立てられる。
【００６６】
その後に、インプラント５のアバットメント２０の−Ｚ側の外周面に接着剤等を用いて人工歯冠６を装着する。
これにより、インプラント５の組み立てが完了する。
【００６７】
なお、スナップフィット解除工具２１１を用いて、インプラント体１０とアバットメント体８の締結を解除することができる。
図１６は、スナップフィット解除工具２１１を示す図である。（ａ）は側面図、（ｂ）はスナップフィット解除工具２１１の使用方法を示す図である。
【００６８】
まず、図１６に示すように、アバットメント２０に人工歯冠６が装着されていない状態において、スナップフィット解除工具２１１の軸部２１３をアバットメント２０の貫通孔２４（本体部側貫通孔２４Ａ）から挿入する。
そして、スナップフィット解除工具２１１のハンドル２１２を回転させて、軸部２１３の先端に形成した外ネジ２１４をロックブッシュ５０（内側ブッシュ５３）の内ネジ５５に螺合する。軸部２１３の先端面に設けた逃げ穴２１３Ｂの底面にクランパピン３０の端面が当接するまで、スナップフィット解除工具２１１の外ネジ２１４をロックブッシュ５０の内ネジ５５に螺合する。
【００６９】
ハンドル２１２をさらに回転させると、ロックブッシュ５０がアバットメント２０及びクランパピン３０に対して−Ｚ側に移動し始める。スナップフィット解除工具２１１はクランパピン３０に当接して＋Ｚ側に移動できない一方で、スナップフィット解除工具２１１の外ネジ２１４に対してロックブッシュ５０の内ネジ５５がさらに深く螺合するためである。
この際、ロックブッシュ５０の外周面５０Ｓと本体部側貫通孔２４Ａの間には殆ど隙間はないため、ロックブッシュ５０の回転が規制されて、スナップフィット解除工具２１１と共に連れ回ることがない。したがって、ロックブッシュ５０は、−Ｚ方向に移動する。
【００７０】
そして、ロックブッシュ５０が−Ｚ側に移動し始めると、ロックブッシュ５０（内側ブッシュ５３）の爪部５４Ａがクランパピン３０の段差３５Ａを乗り越える。つまり、爪部５４Ａがくびれ部３５から外ネジ３４に乗り上げて、櫛歯５４が外周側に弾性変形する。
こうして、スナップフィット結合機構８０が解除される（図１５（ａ）参照）。
【００７１】
このように、スナップフィット解除工具２１１を用いて、ロックブッシュ５０を−Ｚ方向に移動させる。これにより、スナップフィット結合機構８０が解除されて、クランパピン３０の＋Ｚ側への移動が可能となる。したがって、アバットメント体８のインプラント体１０に対する締結が解除される。
【００７２】
インプラント５では、アバットメント２０に作用する外力（咬合圧Ｆ）を繰り返し受けたとしても、インプラント体１０とアバットメント２０の締結に緩みは殆ど発生しない。
インプラント体１０とアバットメント２０の締結の緩みは、ネジ締結の緩みが原因となりうる。しかし、インプラント５では、ネジ締結は用いらていない。インプラント５では、インプラント体１０とアバットメント２０の締結は、逆テーパー穴部１５（小径部１５Ａ）、クランパ４０及びテーパー部３２による固定と、スナップフィット結合機構８０による固定が用いられる。
特に、くびれ部３５（段差３５Ａ）及び櫛歯５４（爪部５４Ａ）によるスナップフィット結合機構８０は、組立が容易であると共に、固定が確実である。
【００７３】
また、インプラント５では、テーパー軸部２２とテーパー穴部１４を嵌合する（差し込む）ことで、アバットメント２０に作用する外力（咬合圧Ｆ）を受け止める耐圧機構６０として機能させている（図１参照）。
特に、耐圧機構６０は、テーパー軸部２２とテーパー穴部１４のＺ方向の長さが従来よりも十分に長いので、咬合圧Ｆを受け止める面積が大きくなり、高い耐圧性能を備える。したがって、アバットメント２０に対して、Ｚ軸方向に対して交差する方向から咬合圧Ｆを受ける場合（インプラント５を前歯に使用する場合）においても、咬合圧Ｆを確実に受け止めるので、アバットメント２０やインプラント体１０に亀裂が発生したり、欠けたりすることがない。
【００７４】
また、アバットメント２０をインプラント体１０の中心穴１３に挿入する際に、インプラント体１０の中心穴１３のテーパー穴部１４の内周側面に形成された５本の突起１７が、アバットメント２０のテーパー軸部２２の外周側面に形成された５本の溝部２３に差し込まれる。
このように、テーパー穴部１４の内周側面の突起１７とテーパー軸部２２の外周側面の溝部２３が噛合うので、インプラント体１０に対するアバットメント２０の回転が規制される。つまり、テーパー穴部１４の突起１７とテーパー軸部２２の溝部２３が回転防止機構７０として機能する。
【００７５】
言い換えれば、インプラント５では、咬合圧Ｆを受け止める耐圧機構６０（テーパー軸部２２とテーパー穴部１４）と回転防止機構７０（突起１７と溝部２３）を一体的に形成しているので、従来よりも咬合圧Ｆを受け止める耐圧機構６０を長く（深く）形成することができる。具体的には、耐圧機構６０（テーパー軸部２２とテーパー穴部１４）の長さを、インプラント体１０の全長の１／２以上の長さにする。
したがって、インプラント５は、アバットメント２０やインプラント体１０に亀裂や欠けが発生することなく、強い咬合圧Ｆを確実に受け止めることができる。
【００７６】
〔第二実施形態〕
以下、本発明の第二実施形態につき図面を参照して説明する。なお、第二実施形態と同一の部材等には、同一の符号を付して、その説明を省略又は簡略にする。
図１７は、第二実施形態に係るインプラント１０５の分解斜視図である。
図１８は、アバットメント体１０８を示す図である。
図１９は、ロックブッシュ１５０を示す図である。（ａ）は上面図、（ｂ）は縦断面図（図１９（ａ）のＦ１９ｂ−Ｆ１９ｂ断面）である。
図２０は、外側ブッシュ１５１を示す図である。（ａ）は上面図、（ｂ）は縦断面図（図２０（ａ）のＦ２０ｂ−Ｆ２０ｂ断面）である。
図２１は、内側ブッシュ１５３を示す図である。（ａ）は上面図、（ｂ）は縦断面図（図２１（ａ）のＦ２１ｂ−Ｆ２１ｂ断面）である。
図２２は、リング部材１５７を示す図である。（ａ）は上面図、（ｂ）は縦断面図（図２２（ａ）のＦ２２ｂ−Ｆ２２ｂ断面）である。
【００７７】
インプラント１０５は、インプラント体１０とアバットメント体１０８を備える。アバットメント体１０８は、アバットメント２０、クランパピン３０、クランパ４０及びロックブッシュ１５０を組み立てたものである。
インプラント１０５（アバットメント体１０８）は、インプラント５（アバットメント体８）と比べると、ロックブッシュ５０に代えてロックブッシュ１５０を用いている点が異なっている。
【００７８】
ロックブッシュ１５０は、リング形（円筒形）の部材である。ロックブッシュ１５０は、リング形の外側ブッシュ１５１の内周側に、リング形の内側ブッシュ１５３を嵌め合わせ、さらに外側ブッシュ１５１と内側ブッシュ１５３の間にリング部材１５７を配置したものである。
外側ブッシュ１５１、内側ブッシュ１５３及びリング部材１５７は、チタンまたはチタン合金により形成される。
【００７９】
外側ブッシュ１５１は、一方の端部に円環形の底部１５１Ｂが設けられた円筒形部材である。
外側ブッシュ１５１の外径は、アバットメント２０の貫通孔２４の本体部側貫通孔２４Ａの内径よりもやや細く形成される。例えば、約２．４ｍｍに形成される。
底部１５１Ｂには、中心穴１５２が形成される。この中心穴１５２には、クランパピン３０が挿通される。
外側ブッシュ１５１の内周側には、段差面１５１Ｃが形成される。
【００８０】
内側ブッシュ１５３は、一方の端部に円環形の底部１５３Ｂが設けられた、外側ブッシュ１５１よりも短い円筒形部材である。
底部１５３Ｂには、中心穴１５４が形成される。この中心穴１５４には、クランパピン３０が挿通される。
内側ブッシュ５３の外径は、外側ブッシュ５１の内径よりもやや大きく形成される。したがって、内側ブッシュ５３は、外側ブッシュ５１の内周側に対して圧入される（締まり嵌め）。
内側ブッシュ１５３の他端側（−Ｚ側）の内周面には、内ネジ１５６が設けられる。
内側ブッシュ１５３の他端側（−Ｚ側）には、フランジ１５５が設けられる。
外側ブッシュ１５１の内周側に内側ブッシュ１５３を嵌め合わせると、内側ブッシュ１５３のフランジ１５５が外側ブッシュ１５１の他端に当接すると同時に、底部１５３Ｂが段差面１５１Ｃに当接する。
【００８１】
リング部材１５７は、外側ブッシュ１５１の底部１５１Ｂと内側ブッシュ１５３の底部１５３Ｂの間に配置される、Ｃ字形の部材である。
リング部材１５７の外径は、外側ブッシュ１５１の内径よりも小さい。このため、リング部材１５７と外側ブッシュ１５１の内周面１５１Ｔとの間には、隙間が設けられる。リング部材１５７の内径は、クランパピン３０の直径（外径）よりも小さい。
リング部材１５７には、切れ目１５８が設けられるため、弾性変形可能である。リング部材１５７の内周部１５７Ａは、リング部材１５７自体の弾性変形に伴って、内周部１５７Ａは外周側に移動する。
【００８２】
ロックブッシュ１５０は、アバットメント２０の貫通孔２４（本体部側貫通孔２４Ａ）に挿入される。ロックブッシュ１５０は、＋Ｚ側の端面（底部５１Ｂ）がアバットメント２０の貫通孔２４の段差面２５に当接する位置に配置される。ロックブッシュ５０の外周面５０Ｓと本体部側貫通孔２４Ａの間には、殆ど隙間はない（隙間嵌め）。
ロックブッシュ１５０（リング部材１５７）の内周側には、本体部側貫通孔２４Ａに露出するクランパピン３０が挿通される。
【００８３】
ロックブッシュ１５０（リング部材１５７）に対して、クランパピン３０の外ネジ３４が＋Ｚ側から−Ｚ側に向けて挿入される。この際、クランパピン３０の外ネジ３４の外径は、リング部材１５７の内径よりも大きいので、内周部１５７Ａが外ネジ３４に乗り上げて、リング部材１５７が外周側に弾性変形する。さらにクランパピン３０が−Ｚ側に向けて挿入されると、内周部１５７Ａがクランパピン３０のくびれ部３５に嵌まり込んで、リング部材１５７の弾性変形が開放される（復元する）。
これにより、内周部１５７Ａがくびれ部３５の段差３５Ａに引っ掛かるため、クランパピン３０を反対方向（＋Ｚ側）に戻せなくなる。
【００８４】
このように、ロックブッシュ１５０（リング部材１５７）の内周部１５７Ａとクランパピン３０のくびれ部３５（段差３５Ａ）は、いわゆるスナップフィット結合機構１８０（snap-fit）として機能する。
スナップフィット結合機構１８０とは、ボルト等の締結部材や接着剤等を用いることなく、金属材料（リング部材１５７）の弾性を利用して二つの部材（くびれ部３５、内周部１５７Ａ）を嵌め込んで結合（固定）するものである。
スナップフィット結合機構１８０は、内周部１５７Ａが段差３５Ａに当接するので、クランパピン３０の＋Ｚ側への移動を規制する。内周部１５７Ａが段差３５Ａに当接する（引っ掛かる）ため、リング部材１５７を再び弾性変形させて内周部１５７Ａを外周側に移動させなければ、クランパピン３０を＋Ｚ側に移動させることはできない。
【００８５】
このように、ロックブッシュ１５０は、弾性変形してクランパピン３０のくびれ部３５に嵌まり込む部位（リング部材１５７）が内側ブッシュ１５３とは別体に形成される。
もっとも、ロックブッシュ１５０は、内側ブッシュ５３と櫛歯５４が一体的に形成されたロックブッシュ５０と同様に動作して、機能する。
【００８６】
図２３は、スナップフィット結合機構１８０の作動前と作動後を示す図である。（ａ）はスナップフィット結合機構１８０の作動前（解除後）を示す図、（ｂ）は作動後（解除前）を示す図である。
スナップフィット結合機構１８０の作動及び解除の方法は、スナップフィット結合機構８０と同一である。すなわち、スナップフィット作動工具２０１を用いることにより、スナップフィット結合機構１８０を作動させることができる。また、スナップフィット解除工具２１１を用いることにより、スナップフィット結合機構１８０を解除することができる。
【００８７】
インプラント１０５は、インプラント５と同様の効果を奏する。インプラント１０５は、アバットメント２０に作用する外力（咬合圧Ｆ）を繰り返し受けたとしても、インプラント体１０とアバットメント２０の締結に緩みは殆ど発生しない。
インプラント１０５では、インプラント体１０とアバットメント２０の締結は、逆テーパー穴部１５（小径部１５Ａ）、クランパ４０及びテーパー部３２による固定と、スナップフィット結合機構１８０による固定が用いられる。
特に、くびれ部３５（段差３５Ａ）及びリング部材１５７（内周部１５７Ａ）によるスナップフィット結合機構１８０は、組立が容易であると共に、固定が確実である。
【００８８】
なお、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や層構成などはほんの一例に過ぎず、適宜変更が可能である。
【００８９】
例えば、実施形態では、インプラント体１０、アバットメント２０を構成する生体適合性セラミックス材料としてジルコニア（酸化ジルコニウム）を採用したが、アルミナ（酸化アルミニウム）や酸化イットリウム、酸化ハフニウム、酸化シリコーン、酸化マグネシウム、酸化セリウム等を採用してもよい。
なお、インプラント体１０、アバットメント２０は、チタンやチタン合金等の金属材料で形成してもよい。
【００９０】
また、実施形態では、クランパ４０を構成する金属材料として生体親和性に優れたチタンを採用したが、チタン合金を採用してもよい。チタン合金として、例えばチタンとアルミニウムとの合金を採用することができる。クランパ４０を形状記憶合金で形成してもよい。また、クランパ４０を、樹脂(ゴム)などの弾性体材料で形成してもよい。
また、クランパの櫛歯４１の本数は８本の場合に限らない。櫛歯４１の本数は、少なくとも２本以上であればよい。
【００９１】
インプラント体１０の係合穴部１６とクランパピン３０の係合軸部３３にそれぞれ平行二面１６Ａ，３３Ａを形成して嵌合させる場合について説明したが、これに限らない。平行二面１６Ａ，３３Ａに代えて、多角形穴部と多角形軸部にしてもよい。
【００９２】
ロックブッシュ５０，１５０を複数の部材を組み合わせて構成する場合について説明したが、これに限らない。ロックブッシュ５０，１５０は、単一の部材であってもよい。また、ロックブッシュ５０，１５０は、他の部材等を組み合わせて構成する場合であってもよい。
【００９３】
また、本発明のインプラント５は、歯科治療に用いる場合に限らない。インプラント５を使用した骨折治療方法や、インプラント５を人工関節に使用してもよい。
【符号の説明】
【００９４】
５…インプラント、  ８…アバットメント体、  １０…インプラント体、  １３…中心穴、  １４…テーパー穴部（嵌合穴部）、  １５Ａ…小径部（抜け止め穴部）、  １５Ｂ…逆テーパー部、  １６…係合穴部（連れ回り規制穴部）、  １６Ａ…平行二面、  １７…突起（突出部）、  ２０…アバットメント、  ２２…テーパー軸部（嵌合軸部）、  ２３…溝部、  ２４…貫通孔、  ２５…段差面（段差部）、  ３０…クランパピン、  ３２…テーパー部（抜け止め軸部）、  ３３…係合軸部（連れ回り規制軸部）、  ３３Ａ…平行二面、  ３４…外ネジ、  ３５…くびれ部（被係合部）、  ３５Ａ…段差、  ４０…クランパ、  ５０…ロックブッシュ、  ５１…外側ブッシュ、  ５１Ｂ…底部（当接面）、  ５３…内側ブッシュ、  ５４…櫛歯、  ５４Ａ…爪部（スナップフィット係合部）、  ５５…内ネジ、  ６０…耐圧機構、  ７０…回転防止機構、  ８０…スナップフィット結合機構、  １０５…インプラント、  １０８…アバットメント体、  １５０…ロックブッシュ、  １５１…外側ブッシュ、  １５１Ｂ…底部（当接面）、  １５３…内側ブッシュ、  １５６…内ネジ、  １５７…リング部材、  １５７Ａ…内周部、  １８０…スナップフィット結合機構、  ２０１…スナップフィット作動工具、  ２１１…スナップフィット解除工具、  Ｆ…咬合圧
【図１】
2013244216.tif 000003
【図２】
2013244216.tif 000004
【図３】
2013244216.tif 000005
【図４】
2013244216.tif 000006
【図５】
2013244216.tif 000007
【図６】
2013244216.tif 000008
【図７】
2013244216.tif 000009
【図８】
2013244216.tif 000010
【図９】
2013244216.tif 000011
【図１０】
2013244216.tif 000012
【図１１】
2013244216.tif 000013
【図１２】
2013244216.tif 000014
【図１３】
2013244216.tif 000015
【図１４】
2013244216.tif 000016
【図１５】
2013244216.tif 000017
【図１６】
2013244216.tif 000018
【図１７】
2013244216.tif 000019
【図１８】
2013244216.tif 000020
【図１９】
2013244216.tif 000021
【図２０】
2013244216.tif 000022
【図２１】
2013244216.tif 000023
【図２２】
2013244216.tif 000024
【図２３】
2013244216.tif 000025